(57)【特許請求の範囲】
【請求項１】
搬送爪（１４）を搬送方向に所定間隔を存して配設した搬送帯（１５）を巻回して形成される穂先側搬送体（１６）と、挾扼レールに沿って搬送チェン（１７）を巻回してなる株元側搬送体（１８）と、倒伏状態の搬送爪（１４）に当接して、上記搬送帯（１５）の搬送非作用面（１６ａ）を搬送作用面（１６ａ）側に向かって弓状に案内するガイド体（２４）とを備えてなる穀稈搬送装置において、板状弾機（２３）を、平面視で弓状に湾曲させ、その両端を、搬送帯（１５）の搬送非作用面（１６ａ）を収容するコ字状断面を有するガイド体（２４）に止着し、ガイド体（２４）に内装してガイド体（２４）の内面とし、上記搬送爪（１４）を板状弾機（２３）に当接させて、ガイド体（２４）内において搬送帯（１５）の搬送非作用面（１６ａ）側を案内することを特徴とするコンバインにおける穀稈搬送装置。
【発明の詳細な説明】
【０００１】
【発明の属する技術分野】
本発明は、穀稈引起し装置で引き起こされ、刈刃で刈り取られた穀稈を、掻込み装置から脱穀部に至る間で搬送する穀稈搬送装置に係り、特に穂先側搬送体の搬送非作用面側を搬送作用面側に向かって弓状に案内することにより、穀稈搬送装置の設置スペースを減少させて、その近傍の運転席等の設置スペースを広く確保することができるコンバインにおける穀稈搬送装置に関するものである。
【０００２】
【従来の技術】
従来、コンバインの刈取脱穀作業は、図７に示すように、クローラ走行装置を備えた機体の前部に穀稈引起し装置ａ、刈刃装置（図示せず）および掻込み装置ｂからなる前処理部ｄを架設し、穀稈引起し装置ａで引き起こした穀稈の株元を刈刃装置で切断した後に、刈取られた穀稈を掻込み装置ｂから穀稈搬送装置ｃを経て穀稈供給チェンｅに継送し、後続の脱穀部に刈取穀稈を供給するように構成されている。
【０００３】
そして上記穀稈搬送装置ｃは、搬送爪（図示せず）を所定間隔を存して配設した搬送帯ｆを巻回して形成される穂先側搬送体ｇと、その下方位置で図示しない挾扼レールに沿う搬送チェンを巻回して形成される株元側搬送体ｈをそれぞれ上下位置に離間並設して構成されると共に、図７の平面視で右側の搬送域を高位として機体幅方向の左方に向けて傾斜状に配設されており、掻込み装置ｂから搬送された刈取穀稈の株元側を、株元側搬送体ｈの搬送チェンと挾扼レールとの間で挟持搬送し、かつ刈取穀稈の穂先側を、穂先側搬送体ｇの搬送爪に継送させて、刈取穀稈の搬送中に株元側と穂先側との間で刈取穀稈を徐々に水平状態に近づく傾斜姿勢に変姿させながら穂先側を脱穀部の穀稈供給口に供給し、株元側を後続の脱穀フィードチェンｅに継送し、扱口に沿って脱穀するようになっている。
【０００４】
しかしながら、上述したように穀稈搬送装置ｃを構成する従来の穂先側搬送体ｇでは、搬送爪を配設した搬送帯ｆの巻回軌跡が、図７のように平面視で略三角形をなしているため、当該穂先側搬送体ｇの設置面積が大きくなり、その周辺に配置される運転席ｉ等の設置スペースが規制されてしまう、という改善の余地を残すものであった。
【０００５】
【発明が解決しようとする課題】
本発明は、上記の如き実状に鑑み従来構成の有する改善点を解消すべく創案されたものであって、その目的とするところは、簡単な構造でありながら穂先側搬送体の配置面積を縮小でき、穀稈搬送装置の近傍に配置される機構、部材あるいは運転席等の設置スペースを、限られた空間内でより広く確保することができるコンバインにおける穀稈搬送装置を提供しようとするものである。
【０００６】
【課題を解決するための手段】
上記問題を解決するため、本発明が採用した技術的手段は、搬送爪１４を搬送方向に所定間隔を存して配設した搬送帯１５を巻回して形成される穂先側搬送体１６と、挾扼レールに沿って搬送チェン１７を巻回してなる株元側搬送体１８と、倒伏状態の搬送爪１４に当接して、上記搬送帯１５の搬送非作用面１６ａを搬送作用面１６ａ側に向かって弓状に案内するガイド体２４とを備えてなる穀稈搬送装置において、板状弾機２３を、平面視で弓状に湾曲させ、その両端を、搬送帯１５の搬送非作用面１６ａを収容するコ字状断面を有するガイド体２４に止着し、ガイド体２４に内装してガイド体２４の内面とし、上記搬送爪１４を板状弾機２３に当接させて、ガイド体２４内において搬送帯１５の搬送非作用面１６ａ側を案内することを特徴とするものである。
【０００７】
【発明の実施の形態】
次に本発明の一実施例を添付した図面に基いて詳細に説明する。
図において、１は五条刈りのコンバインであって、クローラ走行装置２を備えた機体３の前部に前処理部４が架設されており、該前処理部４に穀稈引起し装置５が設けられていると共に、上記前処理部４を形成する前処理部フレーム６、６…の先端にはデバイダ７、７´…が設けられている。
【０００８】
上記前処理部フレーム６、６…の後部下面には、レシプロ式の刈刃装置８が配設されており、前記デバイダ７、７´…で分草された穀稈を穀稈引起し装置５で引起した後、刈刃装置８により穀稈の株元を切断し、次いで刈取られた穀稈は、前処理部フレーム６、６…に前傾姿勢で複数並置した掻込み装置９、９…によって穀稈搬送装置１０側に掻き寄せられて搬送されるようになっている。
【０００９】
上記穀稈搬送装置１０は、複数の搬送爪１４、１４…を所定間隔を存して配設した搬送帯１５に巻回して形成される穂先側搬送体１６と、図示しない挾扼レールに沿う搬送チェン１７を巻回して構成される株元側搬送体１８をそれぞれ上下位置に離間並設してなり、機体３の進行方向に前傾しかつ機体幅方向に傾斜する構成となっている。そして刈り取られた穀稈の穂先側は穂先側搬送体１６の搬送爪１４、１４…に係止されながら搬送され、株元側は株元側搬送体１８の搬送チェン１７と挾扼レールとの間で挟持搬送されて、穂先側は脱穀部１２の穀稈供給口に供給され、株元側は脱穀フィードチェン１１に継送され、扱口に沿って脱穀される。１３は機体進行方向の右側に位置して配設された運転席である。
【００１０】
ここで上記穂先側搬送体１６は、平面視で弓形状をなすケース体１９内に軸支した駆動回転体２０、中継回転体２１、２１および従動回転体２２に、搬送爪１４、１４…を配設した搬送帯１５を巻回すると共に、板状弾機２３の両端部を搬送帯１５の巻回方向に止着して所要の付勢力を有するガイド体２４を、各搬送爪１４、１４…が平行状に突出する搬送作用面１６ａの裏面側に装備し、各搬送爪１４、１４…が巻回方向に倒伏する搬送非作用面１６ｂ側の搬送帯１５を、ガイド体２４内に搬送爪１４、１４…を当接させた状態で裏面側から搬送作用面１６ａ側に向かって弓状に案内するように構成されている。
【００１１】
本発明は叙上の如く構成されているから、刈取、脱穀作業を行う場合は、前記のように、各デバイダ７、７´で分草された穀稈を穀稈引起し装置５で引起し、刈刃装置８で穀稈の株元を切断した後に、掻込み装置９、穀稈搬送装置１０を経て脱穀フィードチェン１１に刈取穀稈が引継がれて脱穀部１２に供給されるが、このような穀稈の刈取、脱穀作業において、穂先側搬送体１６の搬送非作用面１６ｂが、ガイド体２４およびこれに内装した板状弾機２３を介して搬送作用面１６ａ側に向かって弓状に案内されるので、平面視における穂先側搬送体１６の配置面積を縮小でき、図２に示すように、穀稈搬送装置１０の近傍に配置される運転席１３等の設置スペースを余裕をもって広く確保することができる。
【００１２】
また穂先側搬送体１６の搬送爪１４、１４…が搬送非作用面１６ｂ側においてガイド体２４の内面に当接しているので、搬送爪１４、１４…の遊び、バタツキを抑制することができるうえ、板状弾機２３の両端部をガイド体２４内で止着するのみで搬送帯１５に対する大径の付勢面を容易に得ることができ、搬送作動中の搬送帯１５の伸びに起因する脱落や引掛け等を未然に防止することができる。
【００１３】
【発明の効果】
これを要するに本発明は、搬送爪を搬送方向に所定間隔を存して配設した搬送帯を巻回して形成される穂先側搬送体と、挾扼レールに沿って搬送チェンを巻回してなる株元側搬送体とを備えてなる穀稈搬送装置において、上記穂先側搬送体の搬送作用面に対して、当該穂先側搬送体の搬送非作用面を裏面側から近接させたから、
１．穀稈搬送装置を構成する穂先側搬送体の搬送非作用面を搬送作用面側に向かって案内したので、平面視における穂先側搬送体の配置面積を縮小でき、当該穀稈搬送装置の近傍に配置される運転席等の設置スペースを、限られた空間を有効に利用してより広く確保することができる。
また上記搬送非作用面は、穂先側搬送体の搬送爪に当接するガイド体を介して搬送作用面側に近接するから、
２．穂先側搬送体の搬送爪が搬送非作用面側においてガイド体に当接するので、特に板状弾機をガイド体に内装することにより、当該搬送爪の遊び、バタツキを抑制することができる。
更に、上記搬送非作用面は、穂先側搬送体の搬送爪に当接する板状弾機案内されるから、
３．板状弾機の両端部を止着するのみで大径の付勢面を容易に得ることができる。
等という極めて有用な新規的効果を奏するものである。
【図面の簡単な説明】
【図１】コンバインの全体側面図である。
【図２】コンバインの全体平面図である。
【図３】穂先側搬送体の要部平面図である。
【図４】ケースに対するガイド体および板状弾機の取付状態を示す要部斜視図である。
【図５】穂先側搬送体の要部断面図である。
【図６】ガイド体をケースに取着した穂先側搬送体を示す要部斜視図である。
【図７】従来の穀稈搬送装置の取付状態を示す前処理部の要部簡略平面図である。
【符号の説明】
１      コンバイン
１０    穀稈搬送装置
１４    搬送爪
１５    搬送帯
１６    穂先側搬送体
１６ａ  搬送作用面
１６ｂ  搬送非作用面
１７    搬送チェン
１８    株元側搬送体
２３    板状弾機
２４    ガイド体
【図１】
0003769161.tif 000002
【図２】
0003769161.tif 000003
【図３】
0003769161.tif 000004
【図４】
0003769161.tif 000005
【図５】
0003769161.tif 000006
【図６】
0003769161.tif 000007
【図７】
0003769161.tif 000008